(57)【要約】【課題】点検口を通じて流路の切替を行うことができ、流入口の中心と流出口の中心とのなす角の制約が少なく、上流側および下流側における配管の自由度を高めることができる排水ますを提供する。【解決手段】排水ます１０は、ます本体１１と、ます本体１１の流入口２０と第１流出口２１とをつなぐ溝３４Ａを有する第１インバート部材３１と、流入口２０と第２流出口とをつなぐ溝を有する第２インバート部材３２とを備える。平面視において、流入口２０の中心２０ｃと第１流出口２１の中心２１ｃとがなす角である第１角度と、流入口２０の中心２０ｃと第２流出口２２の中心２２ｃとがなす角である第２角度とは異なっている。蓋１３に、第１インバート部材３１および第２インバート部材３２のうち、ます本体１１に装着されていない方のインバート部材３２を支持するフック４０が設けられている。【選択図】図２
2018087460.tif 000002
【特許請求の範囲】
【請求項１】
上方に開口する点検口と、それぞれ側方に開口する流入口、第１流出口、および第２流出口とを有するます本体と、
前記ます本体に着脱可能に形成され、前記流入口と前記第１流出口とをつなぐ溝を有する第１インバート部材と、
前記ます本体に着脱可能に形成され、前記流入口と前記第２流出口とをつなぐ溝を有する第２インバート部材と、
を備え、地中に埋設される排水ますであって、
平面視において、前記流入口の中心と前記第１流出口の中心とがなす角である第１角度と、前記流入口の中心と前記第２流出口の中心とがなす角である第２角度とは異なっており、
前記ます本体の内部または前記ます本体の側方の地中に設けられ、前記第１インバート部材および前記第２インバート部材のうち、前記ます本体に装着されていない方のインバート部材を保管する保管構造を備えている、排水ます。
【請求項２】
前記ます本体の前記点検口に着脱可能に嵌め込まれた蓋を備え、
前記保管構造は、前記蓋に設けられて前記第１インバート部材または前記第２インバート部材を支持するフックを有している、請求項１に記載の排水ます。
【請求項３】
前記ます本体は、前記流入口、前記第１流出口、および前記第２流出口よりも上方かつ前記点検口よりも下方に位置する縦筒部を有し、
前記保管構造は、前記縦筒部に設けられて前記第１インバート部材または前記第２インバート部材を支持するフックを有している、請求項１に記載の排水ます。
【請求項４】
前記保管構造は、前記ます本体の側方にて地中に埋設された容器と、前記容器に着脱可能に嵌め込まれた容器蓋とを有している、請求項１に記載の排水ます。
【請求項５】
前記第１インバート部材および第２インバート部材の外周部のそれぞれに、凸部または凹部からなる第１係合部が形成され、
前記ます本体の内周部に、前記第１係合部と係合する凹部または凸部からなる第２係合部が形成されている、請求項１〜４のいずれか一つに記載の排水ます。
【発明の詳細な説明】
【技術分野】
【０００１】
本発明は、流路の切替が可能な排水ますに関する。
【背景技術】
【０００２】
従来から、例えば排水設備から下水本管に排水を排出する排水システムが知られている。排水設備としては、例えば、トイレ、風呂、または台所の流し台などが挙げられる。この種の排水システムは、排水設備と下水本管とをつなぐ流出管路を備えている。排水設備から流出する排水は、流出管路を通じて下水本管へ排出される。
【０００３】
ところで、大規模な地震等の災害が発生した場合、下水本管が破損するおそれがある。下水本管が破損してしまった場合、排水設備から下水本管に排水を流してしまうと、下水本管から排水が外部に漏れてしまうおそれがある。そのため、排水を貯留する貯留槽等を準備しておき、下水本管が復旧するまで流出管路の流路を切り替え、排水設備からの排水を貯留槽等に排出することが考えられる。
【０００４】
従来から、流入口、第１流出口、第２流出口、および点検口を有するます本体と、ます本体に嵌め込まれたインバート部材とを備え、ます本体内におけるインバート部材の位置を変更することにより、流入口と第１流出口とを連通させる状態と、流入口と第２流出口とを連通させる状態とを適宜切り替えることができる排水ますが知られている。このような流路切り替え可能な排水ますを上記排水システム内に設置することとすれば、点検口を通じて排水の流通状態を確認できるとともに、点検口を通じてインバート部材の位置を変更することにより、流路を容易に切り替えることができる。また、下水本管の復旧後、容易に流路を元通りに復旧することができる。
【０００５】
特許文献１には、流路切り替え可能な排水ますが開示されている。特許文献１に開示された排水ますは、第１流出口および第２流出口が流入口に対して左右対称な位置に配置されたます本体を備えている。詳しくは、平面視において、流入口の中心と第１流出口の中心とがなす角、および、流入口の中心と第２流出口の中心とがなす角が、それぞれ１２０度に設定されたます本体を備えている。インバート部材は、ます本体内にて回転させることにより、流入口と第１流出口とをつなぐことができ、かつ、流入口と第２流出口とをつなぐことができるように、平面視において１２０度湾曲した形状の溝を有している。
【０００６】
上記排水ますでは、流路の切り替え時には治具を用いて、ます本体内のインバート部材を少し引き上げた後、１２０度回転させ、下方に押し込む。これにより、流入口と第１流出口とが連通した状態と、流入口と第２流出口とが連通した状態とを交互に切り替えることができる。
【先行技術文献】
【特許文献】
【０００７】
【特許文献１】特許第２７６１２８２号公報
【発明の概要】
【発明が解決しようとする課題】
【０００８】
しかし、上記排水ますでは、平面視における流入口の中心と流出口の中心とのなす角の角度が１２０度に制限されてしまうという課題があった。そのため、流入口に接続される上流側の配管と、流出口に接続される下流側の配管とのなす角が１２０度に制限され、排水ますの上流側および下流側における配管の自由度が低いという課題があった。また、排水ますの上流側および下流側において所望の配管形態を得るためには、エルボ等の他の部品を用いて管路を曲げる必要があった。例えば、流入口の上流側の流路と第１流出口の下流側の流路とを一直線上に配置したい場合、第１流出口の下流側において他の部品を用いて管路を６０度曲げる必要があった。そのため、施工の手間が余分にかかってしまうという課題があった。
【０００９】
本発明はかかる点に鑑みてなされたものであり、その目的は、点検口を通じて流路の切替を行うことができ、流入口の中心と流出口の中心とのなす角の制約が少なく、上流側および下流側における配管の自由度を高めることができる排水ますを提供することである。
【課題を解決するための手段】
【００１０】
本願発明者は、流入口の中心と流出口の中心とのなす角の制約を少なくするために、インバート部材の位置を変更することによって流路を切り替える代わりに、ます本体に着脱可能な少なくとも２種類のインバート部材を準備し、それらインバート部材を適宜付け替えることによって流路を切り替えることを考案した。しかし、その場合、一方のインバート部材を装着している間、他のインバート部材は不要となる。不要なインバート部材は、建物の倉庫などに保管することが考えられる。しかし、流路の切替が必要になる時期は必ずしも定まっている訳ではなく、保管期間が長期におよぶ場合がある。その場合、他のインバート部材が紛失し、流路の切替が必要なときに他のインバート部材を準備できないおそれがある。また、倉庫に保管していたとしても、災害発生時に倉庫が崩れてしまい、他のインバート部材を準備できない場合がある。そこで、本願発明者は、ます本体に着脱可能な少なくとも２種類のインバート部材を準備することに加えて、ます本体に装着していない方のインバート部材を保管する構造を備えることに思い至り、以下の発明をなすに至った。
【００１１】
本発明に係る排水ますは、上方に開口する点検口とそれぞれ側方に開口する流入口、第１流出口、および第２流出口とを有するます本体と、前記ます本体に着脱可能に形成され、前記流入口と前記第１流出口とをつなぐ溝を有する第１インバート部材と、前記ます本体に着脱可能に形成され、前記流入口と前記第２流出口とをつなぐ溝を有する第２インバート部材と、を備え、地中に埋設される排水ますである。平面視において、前記流入口の中心と前記第１流出口の中心とがなす角である第１角度と、前記流入口の中心と前記第２流出口の中心とがなす角である第２角度とは異なっている。前記排水ますは、前記ます本体の内部または前記ます本体の側方の地中に設けられ、前記第１インバート部材および前記第２インバート部材のうち、前記ます本体に装着されていない方のインバート部材を保管する保管構造を備えている。
【００１２】
上記排水ますによれば、ます本体に第１インバート部材を装着すると、流入口と第１流出口とが連通した状態となる。ます本体から第１インバート部材を引き抜き、代わりに、第２インバート部材を装着すると、流入口と第２流出口とが連通した状態となる。このように、点検口を通じた作業によって第１インバート部材および第２インバート部材を付け替えることによって、流路を切り替えることができる。上記排水ますによれば、第１角度と第２角度とが同一でなければならないという制約はなく、第１角度と第２角度とは異なっている。そのため、排水ますの上流側および下流側における配管の自由度を高めることができ、例えば、流入口と第１流出口とを一直線上に配置すること等が可能となる。また、上記排水ますによれば、上記保管構造を備えているので、ます本体に第１インバート部材を装着しているときには第２インバート部材を地中にて保管することができ、ます本体に第２インバート部材を装着しているときには第１インバート部材を地中にて保管することができる。そのため、流路の切替が必要なときに、ます本体に装着していない方のインバート部材を迅速かつ確実に準備することができる。よって、流路の切替を迅速かつ確実に行うことができる。
【００１３】
本発明の好ましい一態様によれば、前記ます本体の前記点検口に着脱可能に嵌め込まれた蓋を備える。前記保管構造は、前記蓋に設けられて前記第１インバート部材または前記第２インバート部材を支持するフックを有している。
【００１４】
上記態様によれば、ます本体に装着していない方のインバート部材をフックで支持することにより、ます本体の内部に保管することができる。
【００１５】
本発明の好ましい他の一態様によれば、前記ます本体は、前記流入口、前記第１流出口、および前記第２流出口よりも上方かつ前記点検口よりも下方に位置する縦筒部を有している。前記保管構造は、前記縦筒部に設けられて前記第１インバート部材または前記第２インバート部材を支持するフックを有している。
【００１６】
上記態様によれば、ます本体に装着していない方のインバート部材をフックで支持することにより、ます本体の内部に保管することができる。
【００１７】
本発明の好ましい他の一態様によれば、前記保管構造は、前記ます本体の側方にて地中に埋設された容器と、前記容器に着脱可能に嵌め込まれた容器蓋とを有している。
【００１８】
上記態様によれば、ます本体に装着していない方のインバート部材を、ます本体の側方にて地中に埋設された容器の内部に保管することができる。
【００１９】
本発明の好ましい他の一態様によれば、前記第１インバート部材および第２インバート部材の外周部のそれぞれに、凸部または凹部からなる第１係合部が形成され、前記ます本体の内周部に、前記第１係合部と係合する凹部または凸部からなる第２係合部が形成されている。
【００２０】
ます本体に第１インバート部材を装着するときには、第１インバート部材の溝によって流入口と第１流出口とが繋がるような適切な位置に、第１インバート部材を配置する必要がある。同様に、ます本体に第２インバート部材を装着するときには、第２インバート部材の溝によって流入口と第２流出口とが繋がるような適切な位置に、第２インバート部材を配置する必要がある。上記態様によれば、第１インバート部材および第２インバート部材のいずれについても、第１係合部が第２係合部に係合するようにます本体に装着するだけで、適切な位置に配置することができる。よって、インバート部材の付け替えの作業を迅速かつ容易に行うことができる。
【発明の効果】
【００２１】
本発明によれば、点検口を通じて流路の切替を行うことができ、流入口の中心と流出口の中心とのなす角の制約が少なく、上流側および下流側における配管の自由度を高めることができる排水ますを提供することができる。
【図面の簡単な説明】
【００２２】
【図１】第１実施形態に係る排水ますを備える排水システムの平面図である。
【図２】第１実施形態に係る排水ますの鉛直断面図である。
【図３】図２のＩＩＩ−ＩＩＩ線断面図である。
【図４】第１実施形態に係る排水ますのます本体の一部および第１インバート部材の斜視図である。
【図５】第１インバート部材の斜視図である。
【図６】第２インバート部材の斜視図である。
【図７】第１実施形態に係る排水ますのます本体の一部および第２インバート部材の斜視図である。
【図８】第２インバート部材を装着したときの図３相当図である。
【図９】第１実施形態の変形例に係る排水ますの鉛直断面図である。
【図１０】第２実施形態に係る排水ますを備える排水システムの平面図である。
【図１１】第２実施形態に係る排水ますの容器および容器蓋の鉛直断面図である。
【発明を実施するための形態】
【００２３】
（第１実施形態）
以下、図面を参照しながら、本発明に係る排水ますの実施形態について説明する。ただし、以下に説明する各実施形態は本発明の実施の一形態に過ぎず、当然ながら本発明を限定することを意図したものではない。
【００２４】
図１に示すように、排水システム１は、排水設備２から排出される排水を下水本管３または貯留槽４に選択的に排出可能なシステムである。ここで、「排水」には、汚水および雨水が含まれる。「汚水」とは、トイレ、風呂、および台所の流し台等から排出される水であり、雨水と異なり、そのままでは河川に放流させることができないものである。「排水設備」とは、排水を排出する設備のことである。「排水設備」は、汚水および雨水のいずれを排出するものであってもよい。本実施形態では、排水設備２は汚水を排出するように構成されている。このように汚水を排出する排水設備２の例として、例えば、トイレ、風呂、および台所の流し台等が挙げられる。なお、雨水を排出する排水設備の例としては、例えば雨樋等が挙げられる。
【００２５】
排水システム１は地中に埋設されている。排水システム１は、排水設備２と、排水を貯留する貯留槽４と、排水ます１０とを備えている。詳細は後述するが、排水ます１０は流路の切替が可能なますである。排水ます１０は、流入口２０、第１流出口２１、および第２流出口２２を有しており、流入口２０と第１流出口２１とをつなぐ状態と、流入口２０と第２流出口２２とをつなぐ状態とに切替可能に構成されている。排水システム１は更に、排水設備２と排水ます１０の流入口２０とを接続する上流側の管路５と、排水ます１０の第１流出口２１と下水本管３とを接続する下流側の管路６と、排水ます１０の第２流出口２２と貯留槽４とを接続する下流側の管路７とを備えている。なお、本明細書において「管路」とは、排水を流通させる通路を意味する。「管路」は単一の部材によって構成されていてもよく、複数の部材が組み合わされて構成されていてもよい。「管路」は、例えば一本の配管によって構成されていてもよく、複数の配管とそれら配管を接続する継ぎ手または排水ます等により構成されていてもよい。
【００２６】
図２に示すように、排水ます１０は、ます本体１１と、ます本体１１に着脱可能な第１インバート部材３１および第２インバート部材３２とを備えている。符号ＧＬは地面を表している。図２に示すように、排水ます１０は地中に埋設されている。
【００２７】
ます本体１１は、前述の流入口２０、第１流出口２１、および第２流出口２２に加えて、点検口１２を有している。点検口１２は上方に開口している。流入口２０、第１流出口２１、および第２流出口２２は、側方に開口している。ます本体１１は単一の部材から構成されていてもよく、複数の部材が接着等により組み立てられることによって構成されていてもよい。本実施形態では、ます本体１１は、流入口２０、第１流出口２１、および第２流出口２２が形成された底部材１１Ａと、底部材１１Ａの上に設けられた上部材１１Ｂと、上部材１１Ｂの上に設けられた縦筒部材１１Ｃとによって構成されている。点検口１２は縦筒部材１１Ｃの上端に形成されている。点検口１２には、蓋１３が着脱可能に嵌め込まれている。ここでは、縦筒部材１１Ｃの上に蓋枠１４が固定され、その蓋枠１４に蓋１３が嵌め込まれている。すなわち、点検口１２には、蓋枠１４を介して蓋１３が嵌め込まれている。このように、本明細書において、「点検口に着脱可能に嵌め込まれた蓋」には、蓋が点検口に直接嵌め込まれる場合だけでなく、蓋枠等を介して点検口に間接的に嵌め込まれる場合が含まれる。
【００２８】
図３は図２のＩＩＩ−ＩＩＩ線断面図である。図４は、ます本体１１の底部材１１Ａおよび上部材１１Ｂと第１インバート部材３１との斜視図である。図３に示すように、流入口２０と第１流出口２１とは直線状に配置されている。平面視において、流入口２０の中心２０ｃと第１流出口２１の中心２１ｃとがなす角（以下、第１角度という）θ１は１８０度である。一方、平面視において、流入口２０の中心２０ｃと第２流出口２２の中心２２ｃとがなす角（以下、第２角度という）θ２は９０度である。第１角度θ１と第２角度θ２とは、相違している。なお、平面視において、中心２０ｃと中心２１ｃとがなす角、および、中心２０ｃと中心２２ｃとがなす角は、それぞれ２つ存在する。ここでは、第１角度θ１とは、中心２０ｃと中心２１ｃとがなす２つの角のうち、小さい方（２つの角が等しい場合は、その等しい角度）を意味するものとする。同様に、第２角度θ２とは、中心２０ｃと中心２２ｃとがなす２つの角のうち、小さい方（２つの角が等しい場合は、その等しい角度）を意味するものとする。
【００２９】
本実施形態では、流入口２０、第１流出口２１、および第２流出口２２の内径は等しい。しかし、流入口２０、第１流出口２１、および第２流出口２２のうち、いずれか２つまたは３つの内径が相違していてもよい。流入口２０の中心２０ｃと、第１流出口２１の中心２１ｃと、第２流出口２２の中心２２ｃとは、実質的に同一水平面内に位置している。流入口２０と第１流出口２１との間に段差は存在せず、流入口２０と第２流出口２２との間に段差は存在しない。
【００３０】
図５は第１インバート部材３１の斜視図である。図４および図５に示すように、第１インバート部材３１は、流入口２０と第１流出口２１とをつなぐ溝３４Ａを有する本体部３３Ａと、本体部３３Ａの上部に架け渡された取っ手３５Ａとを有している。前述の通り、第１角度θ１は１８０度に設定されているので、第１インバート部材３１の溝３４Ａは直線状に延びている。本体部３３Ａにおける第２流出口２２に対向する部分は、第２流出口２２を塞ぐ閉塞部３６Ａとなっている。本実施形態では、閉塞部３６Ａは第２流出口２２の全体を塞ぐように形成されている。ただし、閉塞部３６Ａは、流入口２０から第２流出口２２への排水の流れを実用上防ぐものであれば足り、必ずしも第２流出口２２の全体を塞がなくてもよい。例えば、閉塞部３６Ａは、第２流出口２２の下半分以上を防ぐように構成され、第２流出口２２の上半分のうちの一部が開放されていてもよい。
【００３１】
図６は第２インバート部材３２の斜視図である。図７は、ます本体１１の底部材１１Ａおよび上部材１１Ｂと第２インバート部材３２との斜視図である。図８は、ます本体１１に第２インバート部材３２を装着したときの図３相当図である。図６および図７に示すように、第２インバート部材３２は、流入口２０と第２流出口２２とをつなぐ溝３４Ｂを有する本体部３３Ｂと、本体部３３Ｂの上部に架け渡された取っ手３５Ｂとを有している。前述の通り、第２角度θ２は９０度に設定されているので、第２インバート部材３２の溝３４Ｂは、９０度湾曲している。本体部３３Ｂにおける第１流出口２１に対向する部分は、第１流出口２１を塞ぐ閉塞部３６Ｂとなっている。なお、閉塞部３６Ｂが第１流出口２１の全体を塞いでいてもよく、一部を塞いでいてもよいことは、第１インバート部材３１の閉塞部３６Ａと同様である。
【００３２】
第１インバート部材３１および第２インバート部材３２は、ます本体１１の底部材１１Ａに下方に向けて嵌め込まれることにより、ます本体１１に装着される。また、底部材１１Ａから上方に引き上げられることにより、ます本体１１から取り外される。作業者は、点検口１２から腕を挿入し、取っ手３５Ａまたは３５Ｂを掴みながら上方に移動させることにより、第１インバート部材３１または第２インバート部材３２をます本体１１から取り外すことができる。取っ手３５Ａ，３５Ｂを掴みながら下方に移動させることにより、第１インバート部材３１または第２インバート部材３２をます本体１１に装着することができる。
【００３３】
図５に示すように、第１インバート部材３１の外周部には、凸部からなる第１係合部３８が形成されている。図６に示すように、第２インバート部材３２の外周部にも、凸部からなる第１係合部３８が形成されている。第１インバート部材３１の第１係合部３８と、第２インバート部材３２の第１係合部３８とは、形状および寸法が同一である。なお、ここでは、第１インバート部材３１および第２インバート部材３２に設けられた第１係合部３８の数は２つであるが、第１係合部３８の数は特に限定されない。
【００３４】
図４および図７に示すように、ます本体１１の内周部には、第１係合部３８と係合する凹部からなる第２係合部２５が形成されている。第２係合部２５は、第１係合部３８に対応する位置に形成されている。また、第２係合部２５の数は、第１係合部３８の数と同じである。本実施形態では、第１インバート部材３１および第２インバート部材３２に２つの第１係合部３８が形成されているので、ます本体１１の内周部には２つの第２係合部２５が形成されている。第２係合部２５は、ます本体１１の外部から点検口１２を通じて視認される位置に設けられている。
【００３５】
図４に示すように、ます本体１１に第１インバート部材３１を装着すると、排水ます１０は流入口２０と第１流出口２１とが連通した状態となる。一方、図７に示すように、ます本体１１に第２インバート部材３２を装着すると、排水ます１０は流入口２０と第２流出口２２とが連通した状態となる。このように、排水ます１０は、第１インバート部材３１および第２インバート部材３２を付け替えることにより、流路を切り替えることができる。ます本体１１に第１インバート部材３１を装着しているときには、第２インバート部材３２は不要である。ます本体１１に第２インバート部材３２を装着しているときには、第１インバート部材３１は不要である。しかし、不要なインバート部材を排水ます１０から遠く離れた場所に保管した場合、流路の切替が必要になったときに、そのインバート部材をすぐに準備できないおそれがある。そこで、本実施形態に係る排水ます１０では、ます本体１１の内部に、不要なインバート部材を保管する保管構造を備えることとした。
【００３６】
図２に示すように、本実施形態に係る排水ます１０は、第１インバート部材３１および第２インバート部材３２のうち、ます本体１１に装着されていない方のインバート部材をます本体１１の内部に保管する保管構造を備えている。詳しくは本実施形態では、蓋１３の裏面にフック４０が設けられている。フック４０は、第１インバート部材３１の取っ手３５Ａおよび第２インバート部材３２の取っ手３５Ｂを係合可能に形成されている。図５および図６に示すように、取っ手３５Ａおよび取っ手３５Ｂには、フック４０が挿入される孔３７が形成されている。ただし、フック４０が取っ手３５Ａ，３５Ｂ自体を係合可能な場合、孔３７は必ずしも必要ではない。また、第１インバート部材３５および第２インバート部材３５のうち、フック４０が係合される部分は取っ手３５Ａおよび３５Ｂに限定されない。
【００３７】
以上が排水ます１０の構成である。次に、排水ます１０の流路の切替方法の一例について説明する。
【００３８】
本実施形態に係る排水システム１（図１参照）では、通常時は、排水設備２からの排水を下水本管３に排出する。そのため、排水ます１０は、流入口２０から流入した排水を第１流出口２１から流出させるように設定される。詳しくは、図２に示すように、第１インバート部材３１がます本体１１に装着され、第２インバート部材３２はフック４０に吊り下げ支持される。これにより、排水ます１０は、第１インバート部材３１により流入口２０と第１流出口２１とを連通するとともに、ます本体１１内に第２インバート部材３２を保管した状態となる。排水設備２から排出された水は、排水ます１０を経由して、下水本管３に排出される。
【００３９】
地震等の災害発生時に下水本管３が破損等により使用できなくなった場合には、排水システム１は、排水設備２からの排水を貯留槽４に排出するように設定される。そのため、排水ます１０は、流入口２０から流入した排水を第２流出口２２から流出させるように切り替えられる。切替にあたっては、まず、蓋１３を開くとともに、第２インバート部材３２をフック４０から取り外す。次に、点検口１２からます本体１１の内部に腕を挿入し、第１インバート部材３１の取っ手３５Ａを掴む。そして、取っ手３５Ａを上方に引っ張り、点検口１２を通じて第１インバート部材３１をます本体１１から取り出す。次に、第２インバート部材３２の取っ手３５Ｂを掴み、点検口１２を通じて第２インバート部材３２をます本体１１に装着する。この際、第２インバート部材３２の第１係合部３８がます本体１１の第２係合部２５と係合するように、第２インバート部材３２の位置決めを行う。これにより、第２インバート部材３２がます本体１１に装着されたときに、第２インバート部材３２の溝３４Ｂは流入口２０と第２流出口２２とをつなぐ適切な位置に配置されることになる。次に、第１インバート部材３１を蓋１３のフック４０に引っ掛け、蓋１３を点検口１２に嵌め込む。その結果、排水ます１０は、第２インバート部材３２により流入口２０と第２流出口２２とを連通するとともに、ます本体１１内に第１インバート部材３１を保管した状態に切り替えられる。排水設備２から排出された水は、排水ます１０を経由して貯留槽４に排出される。下水本管３に対して排水は排出されない。したがって、破損した下水本管３から排水が漏洩することを防止することができる。
【００４０】
その後、下水本管３が復旧した場合には、排水システム１は、排水設備２からの排水を下水本管３に排出するように設定される。排水ます１０は、流入口２０から流入した排水を第１流出口２１から流出させるように切り替えられる。すなわち、ます本体１１から第２インバート部材３２を取り出し、代わりに第１インバート部材３１をます本体１１に装着する。不要になった第２インバート部材３２はフック４０に引っ掛け、ます本体１１の内部に保管する。なお、流路切替の具体的な作業は前述の切替作業と同様であるので、ここではその詳しい説明は省略する。
【００４１】
以上のように、本実施形態に係る排水ます１０によれば、ます本体１１に第１インバート部材３１を装着することにより、流入口２０と第１流出口２１とを連通させる状態に切り替えることができる。ます本体１１から第１インバート部材３１を引き抜き、代わりに第２インバート部材３２を装着することにより、流入口２０と第２流出口２２とを連通させる状態に切り替えることができる。このように排水ます１０によれば、点検口１２を通じた作業により第１インバート部材３１と第２インバート部材３２とを付け替えることによって、流路を切り替えることができる。本実施形態に係る排水ます１０によれば、平面視において流入口２０の中心２０ｃと第１流出口２１の中心２１ｃとがなす角（第１角度）θ１と、平面視において流入口２０の中心２０ｃと第２流出口２２の中心２２ｃとがなす角（第２角度）θ２とが同一でなければならないという制約はない。第１角度θ１と第２角度θ２とは異なっている。そのため、排水ます１０の上流側の管路５および下流側の管路６，７の自由度を高めることができる。本実施形態では特に、第１角度θ１は１８０度に設定されており、流入口２０と第１流出口２１とは一直線上に配置されている。エルボ等の他の配管部品を用いなくても、管路５と管路６とを真っ直ぐに配置することができる。
【００４２】
また、本実施形態に係る排水ます１０によれば、第１インバート部材３１および第２インバート部材３２のうち、ます本体１１に装着されていない方のインバート部材をます本体１１の内部に保管する保管構造を備えている。ここでは、保管構造として、ます本体１１に装着されていない方のインバート部材を吊り下げるフック４０を備えている。本実施形態によれば、ます本体１１に装着されていない方のインバート部材をます本体１１の内部に保管するので、災害発生時などの流路の切替が必要なときに、ます本体１１に装着されていない方のインバート部材を迅速かつ確実に準備することができる。よって、インバート部材の付け替えが容易であり、流路の切替を迅速かつ確実に行うことができる。
【００４３】
ところで、ます本体１１に第１インバート部材３１を装着するときには、第１インバート部材３１の溝３４Ａによって流入口２０と第１流出口２１とが繋がるような適切な位置に、第１インバート部材３１を配置する必要がある。同様に、ます本体１１に第２インバート部材３２を装着するときには、第２インバート部材３２の溝３４Ｂによって流入口２０と第２流出口２２とが繋がるような適切な位置に、第２インバート部材３２を配置する必要がある。本実施形態に係る排水ます１０によれば、第１インバート部材３１および第２インバート部材３２の外周部のそれぞれに第１係合部３８が形成され、ます本体１１の内周部に、第１係合部３８に係合する第２係合部２５が形成されている。第１インバート部材３１および第２インバート部材３２のいずれについても、第１係合部３８が第２係合部２５に係合するようにます本体１１に装着するだけで、適切な位置に配置することができる。よって、本実施形態によれば、インバート部材３１，３２の付け替えの作業を迅速かつ容易に行うことができる。
【００４４】
なお、第１インバート部材３１または第２インバート部材３２をます本体１１の内部に保管する保管構造は、蓋１３に設けられたフック４０に限定されない。本実施形態に係る保管構造には、第１インバート部材３１または第２インバート部材３２をます本体１１の内部に保管することのできる任意の構造が含まれる。
【００４５】
例えば図９に示すように、保管構造として、ます本体１１の縦筒部材１１Ｃに、第１インバート部材３１または第２インバート部材３２を係止するフック４１を設けてもよい。第１インバート部材３１および第２インバート部材３２に、フック４１に係合する孔を設けるようにしてもよい。このように、縦筒部材１１Ｃに設けたフック４１によっても、第１インバート部材３１または第２インバート部材３２をます本体１１の内部に保管することができる。
【００４６】
図示は省略するが、第１インバート部材３１および第２インバート部材３２のうち、ます本体１１に装着されていない方のインバート部材を、ます本体１１に装着されている方のインバート部材の上に載置するようにしてもよい。本実施形態に係る保管構造には、第１インバート部材３１および第２インバート部材３２のいずれか一方を他方の上に載置する構造も含まれる。このような保管構造であっても、ます本体１１に装着されていない方のインバート部材をます本体１１の内部に保管することができる。
【００４７】
（第２実施形態）
第１実施形態に係る排水ます１０は、第１インバート部材３１および第２インバート部材３２のうち、ます本体１１に装着されていない方のインバート部材をます本体１１の内部に保管するものであった。これに対し、第２実施形態に係る排水ます１０は、ます本体１１に装着されていない方のインバート部材を、図１０に示すようにます本体１１の側方に埋設された容器４５の内部に保管するものである。
【００４８】
本実施形態に係る排水ます１０は、ます本体１１と、第１インバート部材３１と、第２インバート部材３２と、容器４５とを備えている。ます本体１１の構造は第１実施形態と同様であるので、その説明は省略する。なお、本実施形態では、蓋１３にはフック４０（図２参照）が設けられていない。
【００４９】
図１１に示すように、容器４５は地中に埋設されている。本実施形態では、容器４５の全体が地中に埋設されている。ただし、容器４５の一部が地中に埋設され、容器４５の他の一部が地面ＧＬよりも上方に配置されていてもよい。容器４５には、容器蓋４６が着脱可能に嵌め込まれている。容器４５および容器蓋４６の形状および寸法は何ら限定されない。例えば、容器４５は、ます本体１１の縦筒部材１１Ｃと同一の内径を有していてもよい。容器４５の上下方向の寸法は、ます本体１１の上下方向の寸法よりも小さくてもよい。
【００５０】
容器４５の内部には、第１インバート部材３１および第２インバート部材３２のうち、ます本体１１に装着されていない方のインバート部材が収容される。ます本体１１に第１インバート部材３１が装着されている場合には、図１１に示すように、容器４５の内部に第２インバート部材３２が収容される。ます本体１１に第２インバート部材３１が装着されている場合には、容器４５の内部には第１インバート部材３１が収容される。
【００５１】
本実施形態では、排水ます１０の流路の切替は、例えば以下のようにして行われる。例えば、地震等の災害発生時に下水本管３が破損等により使用できなくなった場合には、まず、蓋１３を取り外し、点検口１２を通じて第１インバート部材３１をます本体１１から取り出す。次に、容器蓋４６を取り外し、容器４５から第２インバート部材３２を取り出す。そして、点検口１２を通じて第２インバート部材３２をます本体１１に装着し、ます本体１１に蓋１３を嵌め込む。なお、第１インバート部材３１をます本体１１から取り出す作業、および、第２インバート部材３２をます本体１１に装着する作業については、第１実施形態と同様である。次に、第１インバート部材３１を容器４５に収容し、容器４５に容器蓋４６を嵌め込む。これにより、排水ます１０は、第２インバート部材３２により流入口２０と第２流出口２２とを連通するとともに、容器４５内に第１インバート部材３１を保管した状態に切り替えられる。第１実施形態と同様、排水設備２から排出された水は、排水ます１０を経由して貯留槽４に排出される。よって、破損した下水本管３から排水が漏洩することを防止することができる。
【００５２】
その後、下水本管３が復旧した場合は、排水ます１０は、流入口２０から流入した排水を第１流出口２１から流出させるように切り替えられる。その場合、まず、蓋１３を取り外して、ます本体１１から第２インバート部材３２を取り出す。また、容器蓋４６を取り外し、容器４５から第１インバート部材３１を取り出す。そして、第１インバート部材３１をます本体１１に装着し、ます本体１１に蓋１３を嵌め込む。また、第２インバート部材３２を容器４５に収容し、容器４５に容器蓋４６を嵌め込む。これにより、排水ます１０は、第１インバート部材３１により流入口２０と第１流出口２１とを連通するとともに、容器４５内に第２インバート部材３２を保管した状態に切り替えられる。排水設備２から排出された水は、排水ます１０を経由して、復旧後の下水本管３に排出される。
【００５３】
本実施形態においても、第１実施形態と同様の効果を得ることができる。
【００５４】
なお、本実施形態では図１０に示すように、容器４５は平面視において、ます本体１１に対して管路５，６の長手方向と垂直な方向に配置されている。しかし、容器４５の位置は何ら限定されない。容器４５は平面視において、ます本体１１に対して上記垂直な方向からずれた位置に配置されていてもよい。容器４５は、管路５に対して図１０の下方の位置に配置されていてもよく、管路６に対して図１０の下方の位置に配置されていてもよい。
【００５５】
第１インバート部材３１と第２インバート部材３２との交換作業が容易なように、容器４５はます本体１１の近傍に配置されていることが好ましい。例えば、容器４５は平面視において、ます本体１１の中心位置に対し、ます本体１１の直径の１０倍以下の範囲に配置されていてもよく、５倍以下の範囲に配置されていてもよく、３倍以下の範囲に配置されていてもよい。容器４５はます本体１１と接触していてもよい。上記実施形態では容器４５はます本体１１と別体であるが、容器４５はます本体１１と一体化されていてもよい。
【００５６】
（他の実施形態）
前記各実施形態は、本発明の実施の形態の一例に過ぎず、本発明は他にも種々の形態にて実施することができる。
【００５７】
前記実施形態では、第１角度θ１は１８０度であり、第２角度θ２は９０度であるが、第１角度θ１および第２角度θ２は特定の値に限定されない。
【００５８】
前記実施形態では、第１インバート部材３１および第２インバート部材３２の外周部に形成された第１係合部３８は、外周部から径方向の外方に突出する凸部である。ます本体１１の内周部に形成された第２係合部２５は、径方向の外方に凹んだ凹部である。しかし、第１インバート部材３１および第２インバート部材３２の外周部に形成された第１係合部３８は、径方向の内方に凹んだ凹部であってもよく、ます本体１１の内周部に形成された第２係合部２５は、径方向の内方に突出する凸部であってもよい。
【００５９】
前記実施形態では、ます本体１１の流入口の数は１つ、流出口の数は２つであるが、流入口の数は１つに限らず、流出口の数は２つに限られない。例えば、流入口の数が１つ、流出口の数が３つであってもよい。この場合、排水ますは、流入口と第１流出口とを連通する第１インバート部材、および、流入口と第２流出口とを連通する第２インバート部材に加えて、流入口と第３流出口とを連通する第３インバート部材を備える。また、排水ますは、ます本体の内部またはます本体の側方の地中に、第１〜第３インバート部材のうち、ます本体に装着されていない２つのインバート部材を保管する保管構造を備えているとよい。
【００６０】
前記第１実施形態と前記第２実施形態とは、適宜組み合わせることができる。例えば、第１〜第３インバート部材のうち、ます本体に装着されていないいずれか１つのインバート部材をます本体１１の内部に保管し、他の１つのインバート部材を容器４５の内部に保管するようにしてもよい。
【符号の説明】
【００６１】
１０    排水ます
１１    ます本体
１２    点検口
１３    蓋
２０    流入口
２０ｃ  流入口の中心
２１    第１流出口
２１ｃ  第１流出口の中心
２２    第２流出口
２２ｃ  第２流出口の中心
３１    第１インバート部材
３２    第２インバート部材
４０    フック
θ１    第１角度
θ２    第２角度
【図１】
2018087460.tif 000003
【図２】
2018087460.tif 000004
【図３】
2018087460.tif 000005
【図４】
2018087460.tif 000006
【図５】
2018087460.tif 000007
【図６】
2018087460.tif 000008
【図７】
2018087460.tif 000009
【図８】
2018087460.tif 000010
【図９】
2018087460.tif 000011
【図１０】
2018087460.tif 000012
【図１１】
2018087460.tif 000013